(57)【要約】【課題】フォーカス位置学習の際でもフォーカス位置調整の領域へ移動することなく、フォーカス位置学習のアクセスタイムを向上させる光ディスク装置とそのオフセットデータ生成方法を提供することを目的とする。【解決手段】内周データテーブルとテンポラリデータテーブルとオフセットデータテーブルの３つのデータテーブルが持つデータを相互に補完することにより、光ディスク１のゾーン毎および温度毎のフォーカス位置データを持つことが出来ることを特徴とする光ディスク装置である。【選択図】図５
2010073240.tif 000002
【特許請求の範囲】
【請求項１】
光ディスクと、
前記光ディスクを回転させる回転駆動手段と、
前記光ディスクへ光ビームを照射し前記光ディスクからの反射光を検出する光学処理手段と、
前記光学処理手段を移動させる移動手段と、
前記光学処理手段により検出される反射光から前記光ビームのフォーカス位置データを測定するフォーカス位置学習手段と、
前記光ディスクを内周からゾーン毎に分割しその最内周ゾーンにおいて、前記フォーカス位置学習手段によって得られる、フォーカス位置データとその学習時の温度データを持つ内周データテーブルと、
前記光ディスクを内周からゾーン毎に分割し最内周ゾーンより外周のゾーンにおいて、前記フォーカス位置学習手段によって得られる、ゾーン毎のフォーカス位置データとその学習時の温度データを持つテンポラリデータテーブルと、
前記テンポラリデータテーブルと前記内周データテーブルとのそれぞれのフォーカス位置データの差分により生成される、ゾーン毎のオフセットデータを持つオフセットデータテーブルと、
を備え、
前記３つのデータテーブルが持つデータを相互に補完することにより、前記光ディスクのゾーン毎および温度毎のフォーカス位置データを持つことが出来ることを特徴とする光ディスク装置。
【請求項２】
前記フォーカス位置学習手段は、前記光ディスクの記録済みエリアで前記光ビームのフォーカス位置データを測定することを特徴とする請求項１記載の光ディスク装置。
【請求項３】
請求項１記載の光ディスク装置の光学処理手段が起動後アクセスした時の位置において、
前記オフセットデータテーブル内に前記アクセス位置が含まれるゾーンのテンポラリデータが存在しない場合で且つ、
前記オフセットデータテーブル内に前記アクセス位置が含まれるゾーンのオフセットデータが存在する場合で且つ、
前記内周データテーブルの温度データが一定温度範囲内に存在する場合、
前記内周データテーブルのフォーカス位置データおよび前記オフセットデータテーブルのオフセットデータとの補完により、前記ゾーンにおけるフォーカス位置データを生成することが出来ることを特徴とする請求項１記載の光ディスク装置。
【請求項４】
請求項１記載の光ディスク装置の光学処理手段が起動後アクセスした時の位置において、最初にテンポラリテーブルの前記アクセス位置が含まれるゾーンのフォーカス位置データと温度データの存在を確認することを特徴とする請求項１記載の光ディスク装置。
【請求項５】
請求項１記載の光ディスク装置の光学処理手段が、起動後アクセスした時の位置において実施するオフセットデータ生成方法であって、
テンポラリデータテーブルから前記アクセス位置が含まれるゾーンおよび一定温度範囲内のフォーカス位置データを検索するステップと
オフセットデータテーブル内の前記アクセス位置が含まれるゾーンのオフセットデータを検索するステップと
前記光学処理手段が前記アクセス位置から内周ゾーンへ移動し、内周ゾーンにてフォーカス位置学習を実施するステップと
を行うことを特徴とする請求項１記載の光ディスク装置のオフセットデータ生成方法。
【発明の詳細な説明】
【技術分野】
【０００１】
本発明は、光ディスクに情報を記録・再生する光ディスク装置とそのオフセットデータ生成方法に関するものである。
【背景技術】
【０００２】
光ディスク装置では、データの記録および再生を行うために対物レンズによって集光されるレーザ光の焦点が光ディスクの記録面に結ばれるように対物レンズと光ディスクの距離を一定に保つためのフォーカスサーボ機構が備わっている。このフォーカスサーボ機構は、入力として２つの反射光の検出器からの出力のバランスが使われており、そのバランスを一定に保つことにより光ディスクの記録面上に合焦点を合わせる。しかしこの入力のバランスは主に温度変動による電気的オフセットなどによってズレを生じる。このズレによってフォーカスサーボ機構が制御している距離に変化が生じ、結果的に合焦点が光ディスクの記録面上に来ない状態で記録および再生を行うことになる。これにより単位面積辺りのレーザ光量が減少しレーザパワーを増加させる必要がある。このような状況を防ぐために光ディスク装置の起動時に光ディスクの記録されている領域に対して再生を行い、ジッタ値が最適になるフォーカスオフセット値を求め、また温度変動を検知して所定の温度変動が起こった場合には再度適正なフォーカスオフセット値を求めなおす処理（フォーカス位置学習）が行われる。
【特許文献１】特開２００５−２１６３３１号公報
【特許文献２】特開２００７−３１７２６８号公報
【発明の開示】
【発明が解決しようとする課題】
【０００３】
しかしながら、光ディスクの中にはディスク面内の基材厚の厚みムラが無視出来ないようなものがあり且つ、温度によるフォーカス位置のばらつきもあるため、そういう光ディスクに対しては厚みムラによるフォーカス位置の変動を抑えるため、起動時に実施したフォーカス位置調整の領域（ディスク最内周）でしか学習出来なかった。図３（ａ）に従来のフォーカス位置学習の概略図、図３（ｂ）に本発明のフォーカス位置学習の概略図を示す。従来は光ピックアップ装置が外周付近にある場合でも、図３（ａ）にあるようにフォーカス位置学習のたびに光ピックアップ装置をディスク内周へ移動させて学習する必要があり、それが原因でアクセスタイムが遅くなっていた。
【０００４】
本発明は上記課題を解決するためになされたものであって、図３（ｂ）にあるようにフォーカス位置学習の際でもフォーカス位置調整の領域へ移動することなく、フォーカス位置学習のアクセスタイムを向上させる光ディスク装置およびそのオフセットデータ生成方法を提供することを目的とする。
【課題を解決するための手段】
【０００５】
本発明は上記課題を解決するためになされたもので、光ディスクと光ディスクを回転させる回転駆動手段と光ディスクへ光ビームを照射し光ディスクからの反射光を検出する光学処理手段と、光学処理手段を移動させる移動手段と、光学処理手段により検出される反射光から光ビームのフォーカス位置データを測定するフォーカス位置学習手段と、光ディスクを内周からゾーン毎に分割しその最内周ゾーンにおいて、フォーカス位置学習手段によって得られるフォーカス位置データとその学習時の温度データを持つ内周データテーブルと、光ディスクを内周からゾーン毎に分割し最内周ゾーンより外周のゾーンにおいて、フォーカス位置学習手段によって得られる、ゾーン毎のフォーカス位置データとその学習時の温度データを持つテンポラリデータテーブルと、テンポラリデータテーブルと内周データテーブルとのそれぞれのフォーカス位置データの差分により生成される、ゾーン毎のオフセットデータを持つオフセットデータテーブルとを備え、３つのデータテーブルが持つデータを相互に補完することにより、光ディスクのゾーン毎および温度毎のフォーカス位置データを持つことが出来ることを特徴とする光ディスク装置である。
【発明の効果】
【０００６】
本発明は上記構成により、最内周ゾーン（例えば、ゾーン０）での温度データおよびそれに対応するフォーカス位置データを持つ内周データテーブルとそれ以外のゾーン（例えば、ゾーン１から７）における温度データおよびそれに対応するフォーカス位置データを持つテンポラリデータテーブルの２つのデータテーブルを用いて、一番近い温度範囲内（例えば、５℃以内）であれば、起動後アクセスした場所でのフォーカスオフセットデータを取得することを実現出来る。
【発明を実施するための最良の形態】
【０００７】
請求項１記載の発明は、光ディスクと光ディスクを回転させる回転駆動手段と、光ディスクへ光ビームを照射し光ディスクからの反射光を検出する光学処理手段と、光学処理手段を移動させる移動手段と、光学処理手段により検出される反射光から光ビームのフォーカス位置データを測定するフォーカス位置学習手段と、光ディスクを内周からゾーン毎に分割しその最内周ゾーンにおいて、フォーカス位置学習手段によって得られるフォーカス位置データとその学習時の温度データを持つ内周データテーブルと、光ディスクを内周からゾーン毎に分割し最内周ゾーンより外周のゾーンにおいて、フォーカス位置学習手段によって得られるゾーン毎のフォーカス位置データとその学習時の温度データを持つテンポラリデータテーブルと、テンポラリデータテーブルと内周データテーブルとのそれぞれのフォーカス位置データの差分により生成され、最内周ゾーンと外周ゾーンの厚みムラによるフォーカス位置の変動分であるゾーン毎のオフセットデータを持つオフセットデータテーブルとを備え、３つのデータテーブルが持つデータを相互に補完することにより、光ディスクのゾーン毎および温度毎のフォーカス位置データを持つことが出来ることを特徴とするものである。このことにより、最内周ゾーン（例えば、ゾーン０）での温度データおよびそれに対応するフォーカス位置データを持つ内周データテーブルとそれ以外のゾーン（例えば、ゾーン１から７）における温度データおよびそれに対応するフォーカス位置データを持つテンポラリデータテーブルの２つのデータテーブルを用いて、一番近い温度範囲内（例えば、５℃以内）であれば、起動後アクセスした場所でのフォーカスオフセットデータを取得することが出来る。
【０００８】
請求項２記載の発明は、フォーカス位置学習手段は、光ディスクの記録済みエリアで光ビームのフォーカス位置データを測定することを特徴とするものである。このことにより、光ディスクの基材厚の厚みムラが存在しそれがフォーカス学習を適当に実施するために無視出来ない量であり、なおかつ温度によるフォーカス位置の変動も存在するため、フォーカス学習を実施する場合は、厚みムラによるフォーカス位置の変動を抑えるため、起動時に最内周エリアで実施したフォーカス学習エリアでしか適当な学習が出来なかった。しかし記録済みエリアでフォーカス位置学習を実施出来ることにより、フォーカス位置学習のために光ピックアップ装置を最内周へ移動させて実施する必要がなくなった。そのためフォーカス位置学習に要するアクセスタイムの向上を図ることが出来る。
【０００９】
請求項３記載の発明は、光ディスク装置の光学処理手段が起動後アクセスした時の位置において、オフセットデータテーブル内にアクセス位置が含まれるゾーンのテンポラリデータが存在しない場合で且つ、オフセットデータテーブル内にアクセス位置が含まれるゾーンのオフセットデータが存在する場合で且つ、内周データテーブルの温度データが一定温度範囲内に存在する場合、内周データテーブルのフォーカス位置データおよびオフセットデータテーブルのオフセットデータとの補完により、ゾーンにおけるフォーカス位置データを生成することが出来ることを特徴とするものである。このことにより、内周データテーブルの温度データが、一番近い温度範囲内（例えば、５℃以内）であれば、内周データテーブルのフォーカス位置データとオフセットデータテーブルのオフセットデータとの補完で、光ディスク全体のゾーン毎のフォーカスオフセットデータを容易に求めることが出来、これにより、現在光ピックアップ装置がアクセスしている場所でのフォーカス位置データを求めることも容易になる。すなわち、少ないデータの組合せで実際学習したデータ以上のデータ量を持つことが出来る。
【００１０】
請求項４記載の発明は、光ディスク装置の光学処理手段が起動後アクセスした時の位置において、最初にテンポラリデータテーブルのアクセス位置が含まれるゾーンのフォーカス位置データと温度データの存在を確認することを特徴とするものである。このことにより、テンポラリデータテーブルに起動後アクセスした時の位置においてそれに相当するゾーンおよび現在の温度に対して一番近い温度範囲内（例えば５℃以内）のフォーカス位置データが存在した場合、データの補完を実施することなくそのテンポラリデータテーブル内のフォーカス位置データをそのままフォーカス位置データとして使用することが出来るので、フォーカス位置学習時間の短縮が出来る。
【００１１】
請求項５記載の発明は、光ディスク装置の光学処理手段が、起動後アクセスした時の位置において実施するオフセットデータ生成方法であって、テンポラリデータテーブルからアクセス位置が含まれるゾーンおよび一定温度範囲内のフォーカス位置データを検索するステップと、オフセットデータテーブル内のアクセス位置が含まれるゾーンのオフセットデータを検索するステップと、光学処理手段がアクセス位置から内周ゾーンへ移動し、内周ゾーンにてフォーカス位置学習を実施するステップとを行うことを特徴とするものである。このことにより、テンポラリデータテーブル、内周データテーブル、オフセットデータテーブルの３つのデータテーブルを相互補完することで、起動後アクセスした時の位置においてそれに相当するフォーカス位置データを持つことが出来るようになる。よって、光ディスク全てのゾーンの学習結果を持っているのと同等の動作を実現することが出来る。
【００１２】
以下本発明の実施の形態を示すフォーカス位置データを求める動作について、図面を参照しながら具体的に説明する。
【００１３】
図１は、本発明の光ディスク装置のブロック図、図２は、本発明の光ディスクのゾーン図である。トラバースモータ制御装置６が制御するトラバースモータ７により回転させられるリードスクリュー５が、光ピックアップ装置２の移動方向と平行に設けられる。光ディスク装置は光ディスク１が挿入されると起動処理を開始しスピンドルモータ制御装置８によりスピンドルモータ９が制御され光ディスク１が回転し始める。そして、光ディスク１の記録済みエリア（外周ゾーン）へ光ピックアップ装置２を移動させ、記録されているデータを再生する際、信号検出装置４により再生信号品質を示す指標であるＭＬＳＥ（Ｍａｘｉｍｕｍ  Ｌｉｋｅｌｉｈｏｏｄ  Ｓｅｑｕｅｎｔｉａｌ  Ｅｒｒｏｒ）値を測定しフォーカス位置演算装置１１を通してフォーカス位置テーブル１３へ、その場合の半径位置取得装置１０から取得される半径位置データおよび温度取得装置３から取得される温度データとともに格納される。再生信号品質が測定出来れば、指標はジッタやＲＦでもよい。
【００１４】
またフォーカス位置の複数の点に対しても同様に、フォーカス位置をふってＭＬＳＥ値を測定し、その結果からフォーカス制御装置１２によりフォーカス位置を調整する。その場合の半径位置データおよび温度データはそれぞれフォーカス位置演算装置１１を通してフォーカス位置テーブル１３へ格納される。
【００１５】
さらにまた、起動処理後に光ピックアップ装置２に持ってある温度取得装置３により温度変動を検知した場合には、再度ＭＬＳＥ値の測定をもとにしたフォーカス位置学習を実施する。ここでいう記録済みエリアとは、例えば図２におけるゾーン１から７の範囲のことである。光ディスク１はゾーン０から７に区分され、ゾーン０を最内周ゾーン、ゾーン１から７を外周ゾーンとしている。最内周ゾーンは起動時などに学習を実施する内周管理領域を含むゾーンのことでこのゾーン内では必ず起動時と同じ領域で学習を実施し、外周ゾーンではどの領域でも学習を実施する。
【００１６】
（実施の形態１）
本実施の形態１は、テンポラリデータテーブルに自ゾーン（現在光ピックアップ装置２がいるゾーン）且つ５℃以内のフォーカス位置データに該当するデータがなくオフセットデータを生成する場合について図面を用いて説明する。図４（ａ）は、本発明のオフセットデータテーブル図、図４（ｂ）は、本発明のテンポラリデータテーブル図、図４（ｃ）は、本発明の内周データテーブル図、図５は、本発明のフォーカス位置学習およびオフセットデータ生成のフローチャートである。
【００１７】
まずは、図４（ａ）、図４（ｂ）、図４（ｃ）の各テーブル構成について簡単に説明する。図４（ａ）におけるオフセットデータテーブルとは、光ディスク１を例えば７ゾーンに分割した場合のゾーン毎に１つずつオフセットデータを持つことが出来るテーブルである。図４（ｂ）におけるテンポラリデータテーブルとは、同様に７ゾーンのゾーン毎に１つずつフォーカス位置データおよびその場合の温度データを持つことが出来るテーブルである。図４（ｃ）における内周データテーブルとは、温度データ毎の最内周におけるフォーカス位置データを持つことが出来るテーブルである。テンポラリデータテーブルおよび内周データテーブルで対象とされる温度データ範囲は、光ディスク装置の保証温度範囲０から５０℃に対してマージンをもたせて、−５から６０℃範囲で５℃毎、計１４種類の温度データを対象とすることとする。この使用温度範囲についてはこの範囲に限定する必要はなく、さらに広範囲で使用することも出来、また５℃毎と決めているステップも５℃に限られるものではない。
【００１８】
次に図５を用いてテンポラリデータテーブルに自ゾーン（現在光ピックアップ装置２がいるゾーン）且つ５℃以内のフォーカス位置データに該当するデータがなくオフセットデータを生成する場合について各ステップについて具体的に説明する。まず光ディスク装置に光ディスク１が挿入され起動後、適当なゾーンへアクセスする。ステップＳ１０１において、光ピックアップ装置２が現在アクセスしている位置が含まれるゾーン且つ温度取得装置３において取得される現在の温度データと５℃以内のフォーカス位置データが、テンポラリデータテーブルに存在しているかどうかを検索する。ステップＳ１０２において該当するフォーカス位置データがない場合、ステップＳ１０３において内周データテーブルから現在の温度に最も近い温度のフォーカス位置データを検索する。次にステップＳ１０４においてオフセットデータテーブルに現在光ピックアップ装置２が現在アクセスしている位置が含まれるゾーンのオフセットデータが存在するか検索する。そこで該当データがない場合、ステップＳ１１４においてフォーカス位置その場学習を実施する。フォーカス位置その場学習とは、現在光ピックアップ装置２がアクセスしている場所におけるフォーカス位置データを取得するための学習であり、フォーカス位置を変えＭＬＳＥ値を測定しその結果から最もＭＬＳＥ値のよい（低い）データを持つフォーカス位置をそのゾーンにおけるフォーカス位置データとして取得し、テンポラリデータテーブルへデータを格納する。
【００１９】
次にステップＳ１１５においてフォーカス位置データが設定された温度と、温度取得装置３で取得される現在の温度との差が５℃以内かどうか確認する。５℃以内である場合は、内周データテーブルとテンポラリデータテーブルからそれぞれの温度データが５℃以内のフォーカス位置データを差分することにより、オフセットデータテーブルにおいて、現在光ピックアップ装置２がアクセスしている位置が含まれるゾーンのオフセットデータを生成することが出来る。ステップＳ１１５においてフォーカス位置データが設定された温度と、温度取得装置３で取得される現在の温度との差が５℃以内でない場合は、ステップＳ１１６において内周フォーカス位置温度学習を実施する余裕があるかどうか判断する。内周フォーカス位置温度学習を実施する余裕があるかどうかの判断とは、ＲｅａｄやＷｒｉｔｅなどのアクセス要求の有無と現在の光ディスク装置の状態（起動している、Ｓｐｉｎｄｏｗｎしている）で判断される。アクセス要求がない場合且つ光ディスクが起動およびＳｐｉｎｄｏｗｎしていない状態であれば、ステップＳ１１７において内周フォーカス位置温度学習を実施することになる。内周フォーカス位置温度学習は、光ディスク１の最内周ゾーン０における現在の温度でのフォーカス位置データを取得する学習になる。もし内周フォーカス位置温度学習を実施する余裕がない場合は、調整完了となる。
【００２０】
そして最後に、内周データテーブルとテンポラリデータテーブルからそれぞれの温度データが５℃以内のフォーカス位置データを差分することにより、オフセットデータテーブルにおいて、現在光ピックアップ装置２がアクセスしている位置が含まれるゾーンのオフセットデータを生成することが出来る。
【００２１】
（実施の形態２）
本実施の形態２は、テンポラリデータテーブルに自ゾーン（現在光ピックアップ装置がいるゾーン）且つ５℃以内のフォーカス位置データに該当するデータがありオフセットデータを生成する場合について図面を用いて説明する。説明に用いる図面は、実施の形態１と同様のため図面の説明は省略する。
【００２２】
次に図５を用いて各ステップについて具体的に説明する。ステップＳ１０１において、光ピックアップ装置２が現在アクセスしている位置が含まれるゾーン且つ温度取得装置３において取得される現在の温度データと５℃以内のフォーカス位置データが、テンポラリデータテーブルに存在しているかどうかを検索する。ステップＳ１０２において該当するフォーカス位置データがある場合、ステップＳ１０９においてテンポラリデータテーブルからフォーカス位置データが設定される。次にステップＳ１１０においてオフセットデータテーブルに現在光ピックアップ装置２が現在アクセスしている位置が含まれるゾーンのオフセットデータが存在するか検索する。存在する場合は、内周データテーブルにもフォーカス位置データが存在するということなので設定完了となる。存在しない場合は、ステップＳ１１３において、ステップＳ１１６同様内周フォーカス位置温度学習を実施する余裕があるかどうか判断する。余裕がない場合は調整完了となる。余裕がある場合はＳ１１１においてフォーカス位置内周学習が実施される。フォーカス位置内周学習については実施の形態１と同様のため内容の説明は省略する。
【００２３】
そして最後に、内周データテーブルとテンポラリデータテーブルからそれぞれの温度データが５℃以内のフォーカス位置データを差分することにより、オフセットデータテーブルにおいて、現在光ピックアップ装置２がアクセスしている位置が含まれるゾーンのオフセットデータを生成することが出来る。
【００２４】
（実施の形態３）
本実施の形態３は、内周フォーカス位置データを生成する場合について図面を用いて説明する。説明に用いる図面は、実施の形態１、２と同様のため図面の説明は省略する。
【００２５】
次に図５を用いて各ステップについて具体的に説明する。ステップＳ１０１において、光ピックアップ装置２が現在アクセスしている位置が含まれるゾーン且つ温度取得装置３において取得される現在の温度データと５℃以内のフォーカス位置データが、テンポラリデータテーブルに存在しているかどうかを検索する。ステップＳ１０２において該当するフォーカス位置データがない場合、ステップＳ１０３において内周データテーブルから現在の温度に最も近い温度のフォーカス位置データを検索する。次にステップＳ１０４においてオフセットデータテーブルに現在光ピックアップ装置２がアクセスしている位置が含まれるゾーンのオフセットデータが存在するか検索する。そこで該当データがある場合、ステップＳ１０５においてオフセットデータテーブルにおけるオフセットデータとテンポラリデータテーブルにおけるフォーカス位置データからデータ補完を実施する。次にステップＳ１０６においてフォーカス位置データが設定された温度と、温度取得装置３で取得される現在の温度との差が５℃以内かどうか確認する。５℃以内である場合はそこで設定完了となる。５℃以内でない場合はステップＳ１０７においてフォーカス位置その場学習を実施し、現在温度におけるフォーカス位置データを取得することになる。
【００２６】
そして最後に、ステップＳ１０８においてテンポラリデータテーブルとオフセットデータテーブルの差分から現在光ピックアップ装置２がアクセスしている位置が含まれるゾーンのオフセットデータを生成することにより、内周データテーブルにおける現在温度に対応した内周フォーカス位置データを生成することが出来る。
【００２７】
上記実施の形態１から３によれば、光ディスク１の基材厚の厚みムラがある場合でも
記録済みエリアでフォーカス位置学習を実施出来ることにより、フォーカス位置学習のために光ピックアップ装置を最内周へ移動させて実施する必要がなくなりそのためフォーカス位置学習に要するアクセスタイムの向上を図ることが出来る。ちなみに従来内周にアクセスして学習する必要があった場合の学習最大時間は１．５ｓｅｃ程度であったが、本発明によれば光ピックアップ装置２が現在いる場所で学習が出来るので、学習に要する時間は０．４ｓｅｃ程度となり大幅なアクセスタイム向上を図ることが出来るようになった。
【００２８】
また、各テーブルにおけるデータ保持容量およびデータ量についても大幅な向上を図ることが出来る。例えば本発明のオフセットデータテーブル、テンポラリデータテーブル、内周データテーブルで使用されるオフセットデータ、フォーカス位置データ、温度データをそれぞれ２バイト分必要とする。その場合、オフセットデータテーブルは７ゾーンに対してオフセットデータをそれぞれ保持するので、データ容量は７×２バイト＝１４バイトとなる。テンポラリデータテーブルは７ゾーンに対して温度データおよびフォーカス位置データをそれぞれ保持するので、データ容量は７×（２バイト＋２バイト）＝２８バイトとなる。内周データテーブルは光ディスク装置の保証温度に対してマージンを取り１４個の温度テーブルがあり、それぞれに対して温度データとフォーカス位置データを保持するので、データ容量は１４×（２バイト＋２バイト）＝５６バイトとなる。よって、３つのデータテーブルの合計データ保持容量は９８バイトとなる。それに対して従来は、３つのデータテーブルで管理せず１つのデータテーブルで管理していた。そのデータ保持容量はゾーン０から７までの８ゾーンに対して、温度データ２バイトとフォーカス位置データ２バイトのデータを保持し１４個の温度テーブルを持つので、８×１４×（２バイト＋２バイト）＝４４８バイトとなる。よって本発明のデータ保持容量は１／４以下になり大幅に縮小することが出来る。
【００２９】
さらにまた、データ量については本発明の内周データテーブルとオフセットデータテーブルそれぞれにデータがあるゾーンにおいては補完でフォーカス位置データを求めることが出来るが、従来は実際に学習を実施した結果のみしかデータを取得することが出来ないため、本発明はより少ないデータ保持容量でより多くのデータ量を取得することが出来る。
【産業上の利用可能性】
【００３０】
本発明は、３つのデータテーブルが持つデータを相互に補完することにより、光ディスクのゾーン毎および温度毎のフォーカス位置データを持つことが出来、アクセスタイムの向上を図ることが出来る。
【図面の簡単な説明】
【００３１】
【図１】本発明の光ディスク装置のブロック図
【図２】本発明の光ディスクのゾーン図
【図３】（ａ）従来のフォーカス位置学習の概略図、（ｂ）本発明のフォーカス位置学習の概略図
【図４】（ａ）本発明のオフセットデータテーブル図、（ｂ）本発明のテンポラリデータテーブル図、（ｃ）本発明の内周データテーブル図
【図５】本発明のフォーカス位置学習およびオフセットデータ生成のフローチャート
【符号の説明】
【００３２】
１    光ディスク
２    光ピックアップ装置
３    温度取得装置
４    信号検出装置
５    リードスクリュー
６    トラバースモータ制御装置
７    トラバースモータ
８    スピンドルモータ制御装置
９    スピンドルモータ
１０    半径位置取得装置
１１    フォーカス位置演算装置
１２    フォーカス制御装置
１３    フォーカス位置テーブル
【図１】
2010073240.tif 000003
【図２】
2010073240.tif 000004
【図３】
2010073240.tif 000005
【図４】
2010073240.tif 000006
【図５】
2010073240.tif 000007